(57)【要約】      （修正有）【課題】仰臥位睡眠時に見られる、口腔軟部組織の口腔底への沈下を防止するために、側臥位を保持したまま就寝させることによって、気道を充分に確保し、いびきや無呼吸を軽減、防止する側臥保持ベルトセットを提供する。【解決手段】両側に装着される８字包帯式の肩ベルトと、下腿に装着される下腿ベルトと、からなり、肩ベルトは、装着した状態で両腋下前方の位置にフックを有し、下腿ベルトは、一端にフックを有するロープの他端がベルト部分に接着され、下腿に脱着可能に巻かれるようにする面状テープ手段を備え、肩ベルトのフックと、下腿ベルトのフックとを繋げるようにした。ロープの緊張が仰臥位方向へのストッパーとなり、側臥位保持の就寝が可能となる。【選択図】図１
0003216824.tif 000002
【実用新案登録請求の範囲】
【請求項１】
この考案は、両腋下前方にフックを付けた８字包帯式の肩ベルトと、肩ベルトのフックと簡単に繋ぐことができる、フックのついたロープと一体の下腿に巻くベルトを作成する。使用方法としては肩ベルトを装着し、右下腿に下腿用ベルトを装着した場合、下腿用ベルトと一体のロープのフックを、肩ベルトの左腋下前方のフックと繋ぎ、右股関節と膝関節を約４５度屈曲した肢位でロープを張り固定する。そのまま体の右を下にして寝ることで、仰向けになろうとしても、ロープの張力で困難であるため右下側臥位が保てる。また、この考案は反対側に同方法で使用できること、下肢のベルトを大腿下端に巻いても同じ原理で側臥位が保てる。結果口腔内の軟部組織の口腔底への沈下防止になり、気道狭窄を防止できることにより、主にいびき、睡眠時無呼吸の軽減、防止と、ほか産業上の利用可能性に記載の、可能性に寄与することを目的とする側臥保持ベルトセット。
【考案の詳細な説明】
【技術分野】
【０００１】  本考案は腋下前方と下腿をベルトとロープで繋ぐ装具を用い、側臥位を保持したまま寝ることを可能とし、いびきの主な原因であると云われている、仰臥位での軟部組織の口腔底への沈下による気道狭窄を防ぐことで、いびき、睡眠時無呼吸を軽減、防止することを主目的とする側臥保持ベルトセットに関するものである。
【背景技術】
【０００２】  いびき、睡眠時無呼吸を軽減、防止するために軟部組織の口腔底への沈下を防ぐには、側臥位睡眠が有効と言われている。側臥位保持のためには抱き枕や、ベルトの背中にボールや枕を固定しておいて寝る装具、横向き寝枕などが側臥位保持の目的に使用されている。
【考案の概要】
【考案が解決しようとする課題】
【０００３】  側臥位保持はいびき、睡眠時無呼吸軽減、防止などの健康維持、いびき騒音による周囲への被害軽減が考えられるが、装具を用いた従来の技術のうちの抱き枕、横向き寝枕に関しては、熟睡による意識の消失状態では姿勢の保持を持続する確実性が不十分と思われる。腰ベルトの背部にボールや枕を固定してベルトを締めて側臥位保持の持続性を図る場合、きつく締めないとベルトの中で身体が回転してしまい、きつく締めることを永い間続けることでの健康被害が懸念される。以上の欠点を解決した側臥位保持を得ようとするものである。
【課題を解決する手段】
【０００４】  本考案は図−４，５の８字包帯式の腋下前方にフックを付けた、マジックチャックでサイズ変更可能な肩ベルトと、図−６の下腿に巻く、肩ベルトのフックとドッキング可能なフックのついた、ロープ付きでマジックチャック付きのフリーサイズベルトを作成する。次いで使用例として、着用した肩のベルトの左腋下前方部と、右下腿に巻いたロープ付きのベルトを、図−１のようにフック同士で繋いで体の右下側臥位をとり、右股関節、膝関節を約４５度屈曲した位置でロープが緊張する長さに調整して固定する。左肩から仰向けになろうとすると、ロープの張力で妨げてくれることで側臥位を保持できる。また、この方向での使用だけでなく、逆向きでの使用のため、肩ベルトの両腋下前方にフックを設置し、簡単に側臥位の方向を転換できるようにした。
【考案の効果】
【０００５】  上記のような構成としたことで側臥位を確実に保持できる。このことは、従来技術での熟睡時の意識消失状態での効果の不確実性を補填できること、きつく締めることの継続により想定される健康被害を予防できる。また、側臥位保持による軟部組織の口腔底への沈下を防止することによる、いびきや睡眠時無呼吸の軽減、防止効果はかねて広く云われていることだが、スペースシャトルの乗組員５人が、宇宙滞在中に行った実験で、重力がほとんどない宇宙空間では、姿勢がどの位置にあろうと軟部組織の口腔底への沈下がみられず、睡眠中のいびきや無呼吸が７５％減少することがわかった。乗組員５人はこの研究で、いびきや無呼吸の発生において地球の重力が主要な原因を果たしていることが、初めて実証されたと結論付けている。このような記事も参考に、地上においてはうつ伏せか側臥位保持が、重力で軟部組織を口腔底に沈下させないための、唯一の方法と考えこの側臥位保持の考案に行き着いた。考案のベルトセットを装着して側臥位保持で寝ることで、いびき、睡眠時無呼吸の軽減、防止効果が期待できる。
【図面の簡単な説明】
【０００６】
【図１】本考案の側臥位保持ベルトセットの使用例概観図である。
【図２】本考案の側臥保持ベルトセットの８字包帯式の肩ベルトの使用例正面図である。
【図３】本考案の側臥保持ベルトセットの８字包帯式の肩ベルトの使用例背面図である。
【図４】本考案の側臥保持ベルトセットの８字包帯式の肩ベルトの正面図である。
【図５】本考案の側臥保持ベルトセットの８字包帯式の肩ベルトの背面図である。
【図６】本考案の側臥保持ベルトセットの下腿に巻くロープ付きのベルトの概観図である。
【図７】本考案の側臥保持ベルトセットの下腿に巻くロープ付きのベルトの平面図である。
【図８】本考案の側臥保持ベルトセットの下腿に巻くロープ付きのベルトの側面図である。
【考案を実施するための形態】
【０００７】  本考案は８字包帯式の、両腋下前方部にロープを繋げるフックを付けた肩ベルトを作成する（図４，５）。ついで、そのフックと繋ぐフックを取り付けたロープの反対側を、マジックチャックで脱着出来る下腿に巻くベルトを作成（図７，８）し接着する。次いで例として、肩のベルトの左腋下前方部のフックと右下腿に巻いたベルトのロープを、フック同士で繋いで右下の側臥位（図１）をとり、右股関節と膝関節を約４５度屈曲した位置で、ロープが緊張する長さに調整して固定する。その姿勢で寝ることで仰向けになろうとしても、下腿と繋いでいるロープの張力で妨げてくれることで側臥位を保持できる。肩、下腿に巻くベルトの素材の芯部は伸縮性の無いものを使用し、芯の周囲はベルト下の組織に刺激が無いよう柔らかい素材で包んでもよい。腋下前方と下腿の連結用のロープも伸縮性が無いものとする。ベルトの芯とロープに伸縮性が無いものの方が良い理由は、伸縮性のものだと持続的に装着部位を圧迫し、血行障害や神経損傷を起こす恐れがあるためである。側臥位になるため枕の高さの調整が必要である。また、同方向での使用だけでなく、向きを交換して使用できるよう、肩ベルトの両腋下前方にフックを設置し、簡単に側臥位の方向を転換できるようにした。
【産業上の利用可能性】
【０００８】  この考案による側臥位保持で、いびき、睡眠時無呼吸の軽減、防止効果の結果、安眠できることで朝の頭痛、日中の眠気、集中力記憶力の低下の予防、合併症のリスクとして言われる高血圧、狭心症、心筋梗塞、糖尿病、緑内障の発症の減少にも寄与。介護分野では完全側臥位保持ができるこの考案は、問題の多い誤嚥防止や褥創予防、沈下性肺炎予防の体位変換維持にも寄与。背部の外科処置部位の安静保持等にも寄与。と、医学、介護分野で幅広い利用可能性が見込まれる。
【符号の説明】
【０００９】１、側臥保持ベルトセットの８字帯式肩ベルト
２、下腿ベルトのロープのフックとドッキング用のフック
３、下腿ベルトのマジックチャック接着面
４、下腿ベルトのマジックチャック接着面との接続用マジックチャック対面
５、下腿ベルトに接着した反対側で長さ調整し、フックに結べるロープ
６、肩ベルトのフックと接続用のフック
【図１】
0003216824.tif 000003
【図２】
0003216824.tif 000004
【図３】
0003216824.tif 000005
【図４】
0003216824.tif 000006
【図５】
0003216824.tif 000007
【図６】
0003216824.tif 000008
【図７】
0003216824.tif 000009
【図８】
0003216824.tif 000010
【手続補正書】
【提出日】平成30年4月9日(2018.4.9)
【手続補正１】
【補正対象書類名】実用新案登録請求の範囲
【補正対象項目名】全文
【補正方法】変更
【補正の内容】
【実用新案登録請求の範囲】
【請求項１】
両側に装着される８字包帯式の肩ベルトと、下腿に装着される下腿ベルトと、からなり、前記肩ベルトは、装着した状態で両腋下前方の位置にフックを有し、前記下腿ベルトは、一端にフックを有するロープの他端がベルト部分に接着され、下腿に脱着可能に巻かれるようにする面状テープ手段を備え、前記肩ベルトのフックと、前記下腿ベルトのフックとを繋げるようにしたことを特徴とする側臥保持ベルトセット。